【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
（Ａ）光源、
（Ｂ）複数の画素を有し、光源からの光を各画素によって変調して２次元画像を生成し、且つ、生成した２次元画像における空間周波数を、各画素から生じる複数の回折次数に対応した回折角に沿って射出する光変調手段、
（Ｃ）光変調手段から射出された２次元画像における空間周波数をフーリエ変換して、前記各画素から生じる複数の回折次数に対応する数のフーリエ変換像を生成し、該フーリエ変換像の内の所定のフーリエ変換像のみを選択し、更には、該選択されたフーリエ変換像を逆フーリエ変換して、光変調手段によって生成された２次元画像の共役像を形成する画像制限・生成手段、
（Ｄ）複数の開口領域を有し、２次元画像の共役像における空間周波数を、各開口領域から生じる複数の回折次数に対応した回折角に沿って射出するオーバーサンプリングフィルタ、
（Ｅ）オーバーサンプリングフィルタから射出された２次元画像の共役像における空間周波数をフーリエ変換して、前記各開口領域から生じる複数の回折次数に対応する数のフーリエ変換像を生成するフーリエ変換像形成手段、
（Ｆ）前記各開口領域から生じる複数の回折次数に対応する数だけ生成されたフーリエ変換像の内、所望の回折次数に対応するフーリエ変換像を選択するフーリエ変換像選択手段、並びに、
（Ｇ）フーリエ変換像選択手段によって選択されたフーリエ変換像の共役像を形成する共役像形成手段、
を備えていることを特徴とする３次元像表示装置。
【請求項２】
共役像形成手段には、フーリエ変換像選択手段によって選択されたフーリエ変換像を逆フーリエ変換することにより、画像制限・生成手段によって生成された２次元画像の共役像の実像を形成する逆フーリエ変換手段が含まれることを特徴とする請求項１に記載の３次元像表示装置。
【請求項３】
光変調手段は、２次元的に配列された複数の画素を有する２次元空間光変調器から成り、各画素は開口を備えていることを特徴とする請求項１又は請求項２に記載の３次元像表示装置。
【請求項４】
光変調手段は、
（Ｂ−１）１次元画像を生成する１次元空間光変調器、
（Ｂ−２）１次元空間光変調器によって生成された１次元画像を２次元的に展開して２次元画像を生成する走査光学系、及び、
（Ｂ−３）２次元画像の生成面に配置され、生成した２次元画像における空間周波数を、複数の回折次数に対応した回折角に沿って射出する格子フィルタ、
から成ることを特徴とする請求項１に記載の３次元像表示装置。
【請求項５】
画像制限・生成手段は、
（Ｃ−１）２枚のレンズ、及び、
（Ｃ−２）該２枚のレンズの間に配置され、前記所定のフーリエ変換像のみを通過させる画像制限開口部、
から構成されていることを特徴とする請求項１に記載の３次元像表示装置。
【請求項６】
フーリエ変換像形成手段はレンズから成り、
該レンズの前側焦点面にオーバーサンプリングフィルタが配置されており、
該レンズの後側焦点面にフーリエ変換像選択手段が配置されていることを特徴とする請求項１に記載の３次元像表示装置。
【請求項７】
フーリエ変換像選択手段は、前記各開口領域から生じる複数の回折次数に対応する数の開閉制御可能な開口部を有することを特徴とする請求項１に記載の３次元像表示装置。
【請求項８】
フーリエ変換像選択手段は、液晶表示装置から成ることを特徴とする請求項１に記載の３次元像表示装置。
【請求項９】
前記２次元画像における空間周波数は、画素構造の空間周波数をキャリア周波数とした画像情報に相当することを特徴とする請求項１に記載の３次元像表示装置。
【請求項１０】
前記２次元画像の共役像における空間周波数は、前記２次元画像における空間周波数から画素構造の空間周波数が除去された空間周波数であることを特徴とする請求項９に記載の３次元像表示装置。
【請求項１１】
（Ａ）光源、
（Ｂ）Ｘ方向及びＹ方向に沿って２次元マトリクス状に配列された開口を有し、光源からの光の通過、反射、あるいは回折を開口毎に制御することで２次元画像を生成し、且つ、該２次元画像に基づき、開口毎に、複数の回折次数の回折光を生成する２次元画像形成装置、
（Ｃ）その前側焦点面に２次元画像形成装置が配置されている第１のレンズ、
（Ｄ）第１のレンズの後側焦点面に配置され、所定回折次数の回折光のみを通過させる画像制限開口部、
（Ｅ）その前側焦点面に画像制限開口部が配置されている第２のレンズ、
（Ｆ）第２のレンズの後側焦点面に配置され、Ｘ方向及びＹ方向に沿って２次元マトリクス状に配列されたＰ×Ｑ個（但し、Ｐ及びＱは任意の正の整数）の開口領域を有し、第２のレンズによって生成された２次元画像の共役像に基づき、開口領域毎に、Ｘ方向に沿って第ｍ次から第ｍ’次までのＭ組の（但し、ｍ及びｍ’は整数であり、Ｍは正の整数）、Ｙ方向に沿って第ｎ次から第ｎ’次までのＮ組の（但し、ｎ及びｎ’は整数であり、Ｎは正の整数）の、合計、Ｍ×Ｎ組の回折光を生成するオーバーサンプリングフィルタ、
（Ｇ）その前側焦点面にオーバーサンプリングフィルタが配置されている第３のレンズ、
（Ｈ）第３のレンズの後側焦点面に配置され、Ｘ方向に沿ってＭ個、Ｙ方向に沿ってＮ個の、合計、Ｍ×Ｎ個の開閉制御可能な開口部を有する空間フィルタ、
（Ｉ）その前側焦点面に空間フィルタが配置されている第４のレンズ、並びに、
（Ｊ）第４のレンズの後側焦点に、その前側焦点が位置している第５のレンズ、
を備えていることを特徴とする３次元像表示装置。
【請求項１２】
２次元画像形成装置は、２次元的に配列されたＰ0×Ｑ0個の画素を有する液晶表示装置から成り、各画素には開口が備えられており、
Ｐ＞Ｐ0，Ｑ＞Ｑ0を満足することを特徴とする請求項１１に記載の３次元像表示装置。
【請求項１３】
２次元画像形成装置には、Ｐ0×Ｑ0個の開口が設けられており、各開口には可動ミラーが設けられており、
Ｐ＞Ｐ0，Ｑ＞Ｑ0を満足することを特徴とする請求項１１に記載の３次元像表示装置。
【請求項１４】
空間フィルタは、Ｍ×Ｎ個の画素を有する液晶表示装置から成ることを特徴とする請求項１１に記載の３次元像表示装置。
【請求項１５】
空間フィルタにおいては、２次元画像形成装置による２次元画像の生成タイミングと同期して所望の開口部を開状態とすることを特徴とする請求項１１に記載の３次元像表示装置。
【請求項１６】
（Ａ）光源、
（Ｂ）１次元画像を生成する１次元空間光変調器；１次元空間光変調器によって生成された１次元画像を２次元的に展開して２次元画像を生成する走査光学系；及び、２次元画像の生成面に配置され、画素毎に、複数の回折次数の回折光を生成する回折光生成手段から成る２次元画像形成装置、
（Ｃ）その前側焦点面に回折光生成手段が配置されている第１のレンズ、
（Ｄ）第１のレンズの後側焦点面に配置され、所定回折次数の回折光のみを通過させる画像制限開口部、
（Ｅ）その前側焦点面に画像制限開口部が配置されている第２のレンズ、
（Ｆ）第２のレンズの後側焦点面に配置され、Ｘ方向及びＹ方向に沿って２次元マトリクス状に配列されたＰ×Ｑ個（但し、Ｐ及びＱは任意の正の整数）の開口領域を有し、第２のレンズによって生成された２次元画像の共役像に基づき、開口領域毎に、Ｘ方向に沿って第ｍ次から第ｍ’次までのＭ組の（但し、ｍ及びｍ’は整数であり、Ｍは正の整数）、Ｙ方向に沿って第ｎ次から第ｎ’次までのＮ組の（但し、ｎ及びｎ’は整数であり、Ｎは正の整数）の、合計、Ｍ×Ｎ組の回折光を生成するオーバーサンプリングフィルタ、
（Ｇ）その前側焦点面にオーバーサンプリングフィルタが配置されている第３のレンズ、
（Ｈ）第３のレンズの後側焦点面に配置され、Ｘ方向に沿ってＭ個、Ｙ方向に沿ってＮ個の、合計、Ｍ×Ｎ個の開閉制御可能な開口部を有する空間フィルタ、
（Ｉ）その前側焦点面に空間フィルタが配置されている第４のレンズ、並びに、
（Ｊ）第４のレンズの後側焦点に、その前側焦点が位置している第５のレンズ、
を備えていることを特徴とする３次元像表示装置。
【請求項１７】
１次元空間光変調器は、Ｘ方向に沿ってＰ0個の画素を有し、光源からの光を回折することによって１次元画像を生成し、
Ｐ＞Ｐ0を満足することを特徴とする請求項１６に記載の３次元像表示装置。
【請求項１８】
空間フィルタは、Ｍ×Ｎ個の画素を有する液晶表示装置から成ることを特徴とする請求項１６に記載の３次元像表示装置。
【請求項１９】
空間フィルタにおいては、２次元画像の生成タイミングと同期して所望の開口部を開状態とすることを特徴とする請求項１６に記載の３次元像表示装置。
【請求項２０】
オーバーサンプリングフィルタは、格子フィルタから成ることを特徴とする請求項１、請求項１１、又は、請求項１６に記載の３次元像表示装置。